(57)【要約】【課題】  送迎を円滑に実行し、送迎を利用する者の安全を的確かつ効率よく管理する。【解決手段】  ネットワーク１００を介して児童端末１０と警備会社端末３０と送迎確認サーバ４０とが接続された送迎管理システムであって、送迎確認サーバ４０は、ネットワーク１００を介して児童端末１０から受信した受付情報を格納する児童個人情報ＤＢ４０５と、児童個人情報ＤＢ４０５に格納され得る児童端末１０が属する学校及びその位置情報を格納する学校情報ＤＢ４０２と、ネットワーク１００を介して警備会社端末３０から受信した受付情報を格納する車両情報ＤＢ４０３と、車両情報ＤＢ４０３に格納されている警備会社端末３０の場所から一定範囲に位置する学校を学校情報ＤＢ４０２から抽出し、その抽出された学校に属する児童を児童個人情報ＤＢ４０５から抽出する処理装置４０１と、からなる構成としてある。【選択図】      図１
2009048274.tif 000002
【特許請求の範囲】
【請求項１】
所定のネットワークを介して、送迎を利用する被送迎者が保有する被送迎者端末と、前記被送迎者の送迎を実施する送迎実施者が保有する送迎実施者端末と、所定の送迎確認サーバとが接続された送迎管理システムであって、
前記被送迎者端末は、
入力操作に応じ、前記被送迎者が属する施設の情報を含む所定の受付情報を前記送迎確認サーバに送信する被送迎者受付情報送信手段を備えるとともに、
前記送迎実施者端末は、
入力操作に応じ、前記送迎実施者の位置情報を含む所定の受付情報を前記送迎確認サーバに送信する送迎実施者受付情報送信手段を備え、
前記送迎確認サーバは、
前記ネットワークを介して前記被送迎者端末から受信した受付情報を被送迎者ＤＢとして格納する被送迎者情報格納手段と、
前記被送迎者ＤＢに格納され得る被送迎者が属する施設及びその位置情報を施設ＤＢとして格納する施設情報格納手段と、
前記ネットワークを介して前記送迎実施者端末から受信した受付情報を送迎実施者ＤＢとして格納する送迎実施者情報格納手段と、
前記送迎実施者ＤＢに格納されている送迎実施者の場所から一定範囲に位置する施設を前記施設ＤＢから抽出する施設抽出手段と、
前記抽出された施設に属する被送迎者を前記被送迎者ＤＢから抽出する被送迎者抽出手段と、を備えることを特徴とする送迎管理システム。
【請求項２】
前記被送迎者は児童であるとともに、被送迎者端末は送迎を希望する児童が保有する端末であって、
前記送迎管理システムは、前記児童が属する学校施設から下校して自宅に帰宅するまでに提供される送迎サービスを管理することを特徴とする請求項１の送迎管理システム。
【請求項３】
前記送迎実施者端末から受信した受付情報に含まれる位置情報及び前記施設抽出手段によって抽出された施設の位置情報に基づき、送迎実施者がその施設に到着する時刻を算出する到着時刻算出手段と、
前記被送迎者抽出手段が抽出した被送迎者が保有する被送迎者端末に対し、その送迎実施者の到着時刻を通知する到着時刻通知手段と、を備えることを特徴とする請求項１又は２の送迎管理システム。
【請求項４】
被送迎者の保護者が保有する保護者端末と、被送迎者が所属する施設が保有する施設端末とがさらに接続された送迎管理システムであって、
前記到着時刻通知手段は、
前記到着時間算出手段によって算出された到着時間を、前記保護者端末及び／又は前記施設端末に通知することを特徴とする請求項３の送迎管理システム。
【請求項５】
前記被送迎者端末は、
送迎終了時の入力操作に応じて送迎が終了した時刻を算出する送迎終了時刻算出手段と、
算出された前記送迎終了時刻を前記送迎確認サーバに送信する送迎終了時刻送信手段と、を備え、
前記送迎確認サーバは、
前記被送迎者端末から受信した送迎終了時刻を前記保護者端末及び／又は施設端末に通知する送迎終了通知手段を備えることを特徴とする請求項１乃至４のいずれかの送迎管理システム。
【請求項６】
前記送迎確認サーバは、
前記被送迎者端末から受信した受付情報を前記被送迎者ＤＢに格納した場合に、所定の受付通知を当該被送迎者端末に送信する受付通知手段を備えることを特徴とする請求項１乃至５のいずれかの送迎管理システム。
【請求項７】
前記受付通知手段は、
前記送迎実施者端末から受信した受付情報を前記送迎実施者ＤＢに格納した場合に、所定の受付通知を当該送迎実施者端末に送信することを特徴とする請求項６の送迎管理システム。
【請求項８】
前記送迎確認サーバは、
前記被送迎者抽出手段が一以上の被送迎者を抽出した場合には、その被送迎者の送迎を実施する送迎実施者が保有する送迎実施者端末に対し被送迎者の名簿を含めた所定の通知を行う被送迎者名簿通知手段を備えることを特徴とする請求項１乃至７のいずれかの送迎管理システム。
【請求項９】
前記送迎確認サーバは、
前記被送迎者抽出手段が被送迎者を抽出しない場合には、送迎を希望する被送迎者が存在しない旨を所定の送迎実施者端末に通知する被送迎者不存在通知手段を備えることを特徴とする請求項１乃至８のいずれかの送迎管理システム。
【請求項１０】
前記送迎確認サーバは、
前記被送迎者ＤＢに格納されている被送迎者が属する施設の場所から一定範囲に位置する送迎実施者端末が送迎実施者ＤＢに存在しない場合には、送迎実施者が存在しない旨を前記被送迎者が保有する被送迎者端末に通知する送迎実施者不存在通知手段を備えることを特徴とする請求項１乃至９のいずれかの送迎管理システム。
【請求項１１】
送迎を利用する被送迎者が保有する被送迎者端末及び前記被送迎者の送迎を実施する送迎実施者が保有する送迎実施者端末とネットワークを介して接続された送迎確認サーバであって、
前記被送迎者端末から送信された被送迎者が属する施設情報を含む受付情報を、前記ネットワークを介して受信し、所定の被送迎者ＤＢに格納する被送迎者情報格納手段と、
前記被送迎者ＤＢに格納され得る被送迎者が属する施設及びその位置情報を所定の施設ＤＢに格納する施設情報格納手段と、
前記送迎実施者端末から送信された送迎実施者の位置情報を含む受付情報を、前記ネットワークを介して受信し、所定の送迎実施者ＤＢに格納する送迎実施者情報格納手段と、
前記送迎実施者ＤＢに格納されている送迎実施者端末の場所から一定範囲に位置する施設を前記施設ＤＢから抽出する施設抽出手段と、
前記抽出された施設に属する被送迎者を前記被送迎者ＤＢから抽出する被送迎者抽出手段と、を備えることを特徴とする送迎確認サーバ。
【請求項１２】
所定のネットワークを介して接続された、送迎を利用する被送迎者が保有する被送迎者端末と、前記被送迎者の送迎を実施する送迎実施者が保有する送迎実施者端末と、所定の送迎確認サーバとによる送迎管理方法であって、
前記被送迎者端末が、
入力操作に応じ、前記被送迎者が属する施設情報を含む所定の受付情報を前記送迎確認サーバに送信するステップを有するとともに、
前記送迎実施者端末が、
入力操作に応じ、前記送迎実施者の位置情報を含む所定の受付情報を前記送迎確認サーバに送信するステップを有し、
前記送迎確認サーバが、
前記被送迎者端末から前記ネットワークを介して受信した受付情報を被送迎者ＤＢとして格納するステップと、
前記被送迎者ＤＢに格納され得る被送迎者が属する施設及びその位置情報を施設ＤＢとして格納するステップと、
前記送迎実施者端末から前記ネットワークを介して受信した受付情報を送迎実施者ＤＢとして格納するステップと、
前記送迎実施者ＤＢに格納されている送迎実施者端末の場所から一定範囲に位置する施設を前記施設ＤＢから抽出するステップと、
前記抽出された施設に属する被送迎者を前記被送迎者ＤＢから抽出するステップと、を有することを特徴とする送迎管理方法。
【請求項１３】
前記被送迎者が児童であるとともに、被送迎者端末は送迎を希望する児童が保有する端末であって、
前記児童が属する学校施設から下校して自宅に帰宅するまでに提供される送迎サービスを管理することを特徴とする請求項１２の送迎管理方法。
【請求項１４】
所定のネットワークを介して、送迎を利用する被送迎者が保有する被送迎者端末と、前記被送迎者の送迎を実施する送迎実施者が保有する送迎実施者端末と、所定の送迎確認サーバとが接続された送迎管理システムとして機能させるための送迎管理プログラムであって、
前記被送迎者端末を構成するコンピュータを、
入力操作に応じ、前記被送迎者が属する施設情報を含む所定の受付情報を前記送迎確認サーバに送信する被送迎者情報送信手段、として機能させるとともに、
前記送迎実施者端末を構成するコンピュータを、
入力操作に応じ、前記送迎実施者の位置情報を含む所定の受付情報を前記送迎確認サーバに送信する送迎者情報送信手段、として機能させ、
前記送迎確認サーバを構成するコンピュータを、
前記被送迎者端末から前記ネットワークを介して受信した受付情報を所定の被送迎者ＤＢに格納する児童情報格納手段、
前記被送迎者ＤＢに格納され得る被送迎者が属する施設及びその位置情報を所定の施設ＤＢに格納する施設情報格納手段、
前記送迎実施者端末から前記ネットワークを介して受信した受付情報を所定の送迎実施者ＤＢに格納する送迎実施者情報格納手段、
前記送迎実施者ＤＢに格納されている送迎実施者端末の場所から一定範囲に位置する施設を前記施設ＤＢから抽出する施設抽出手段、
前記抽出された施設に属する被送迎者を前記被送迎者ＤＢから抽出する被送迎者抽出手段、として機能させるための送迎管理プログラム。
【発明の詳細な説明】
【技術分野】
【０００１】
本発明は、送迎者と被送迎者との関係における合理的な送迎を実現しうる送迎管理システムに関する。
【背景技術】
【０００２】
従来、小学校の送迎はボランティアや一部の保護者等が行っているが、完全な自宅前までではなく、その監視には限界がある。
最近では、共働きの増加により、児童の帰宅時に保護者が自宅にいない家庭も増えており、これに伴い帰宅途中に児童が誘拐される事件も増加している。
学校側では、集団下校を指導しているが、帰路の一定範囲までは集団であっても途中からは徐々にバラバラになり、その隙を誘拐に利用される場合も考えられる等、数々の問題が存在している。
そこで、送迎業者等が提供するもので、送迎車両により児童の送り迎えを行う送迎サービスを利用する方法も考えられるが、送迎途中の児童の現在位置がわからないために依然不安を感じる保護者や学校関係者が多い。
【０００３】
そこで、特許文献１には、ＧＰＳ（Global Positioning System）等を利用した所在位置特定システムが提案されている。
この所在位置特定システムによれば、送迎車両で移動する児童等の通学路における安全の確認を行うことができるようになっている。
具体的には、児童が乗車する移動車両に搭載される車載ＰＣと管理センターの管理者用ＰＣとの連携により、移動車両、即ち、利用者の所在位置を特定できるようになっている。
【０００４】
ところが、児童が属する学校の住所は様々であり、また、児童が下校する時間も様々であるため、児童毎に送迎車両や送迎実施者を効率的に割り当てるシステムの構築が不可欠である。
そこで、例えば、特許文献２には、タクシー配車システムが提案されている。
この配車システムによれば、ＧＰＳ機能付き携帯電話とナビゲーションシステムとの連携により、乗客が待っている場所に最も近いところにいる送迎車両を割り当てることができるようになっている。
【０００５】
【特許文献１】特開２００６−２０２１４８号公報
【特許文献２】特開２００２−２７９５８９号公報
【発明の開示】
【発明が解決しようとする課題】
【０００６】
しかしながら、特許文献２に記載のタクシー配車システムにおいては、位置情報を利用した配車方法のみについての発明であり、配車後の安全管理等については特に考慮されていない。
つまり、関連する特許文献１又は特許文献２に代表される先行技術においては、送迎利用者の受付や送迎実施者の手配等から始まり、各被送迎者の送迎が完了するまでの送迎プロセスを、安全面や作業効率等を総合的に考慮して提供するシステムは存在しないのが現状である。
【０００７】
本発明は、以上のような従来の技術が有する問題を解決するために提案されたものであり、下校等の移動の際に事故や犯罪に巻き込まれることを防止するだけでなく、送迎の準備を合理的に行うことで送迎を円滑に実行し、送迎を利用する者の安全を的確かつ効率よく管理する送迎管理システムの提供を目的とする。
【課題を解決するための手段】
【０００８】
上記目的を達成するため、本発明の送迎管理システムは、所定のネットワークを介して、送迎を利用する被送迎者が保有する被送迎者端末と、前記被送迎者の送迎を実施する送迎実施者が保有する送迎実施者端末と、所定の送迎確認サーバとが接続された送迎管理システムであって、前記被送迎者端末は、入力操作に応じ、前記被送迎者が属する施設の情報を含む所定の受付情報を前記送迎確認サーバに送信する被送迎者受付情報送信手段を備えるとともに、前記送迎実施者端末は、入力操作に応じ、前記送迎実施者の位置情報を含む所定の受付情報を前記送迎確認サーバに送信する送迎実施者受付情報送信手段を備え、前記送迎確認サーバは、前記ネットワークを介して前記被送迎者端末から受信した受付情報を被送迎者ＤＢとして格納する被送迎者情報格納手段と、前記被送迎者ＤＢに格納され得る被送迎者が属する施設及びその位置情報を施設ＤＢとして格納する施設情報格納手段と、前記ネットワークを介して前記送迎実施者端末から受信した受付情報を送迎実施者ＤＢとして格納する送迎実施者情報格納手段と、前記送迎実施者ＤＢに格納されている送迎実施者の場所から一定範囲に位置する施設を前記施設ＤＢから抽出する施設抽出手段と、前記抽出された施設に属する被送迎者を前記被送迎者ＤＢから抽出する被送迎者抽出手段と、を備えた構成としてある。
【０００９】
また、本発明の送迎確認サーバは、送迎を利用する被送迎者が保有する被送迎者端末及び前記被送迎者の送迎を実施する送迎実施者が保有する送迎実施者端末とネットワークを介して接続された送迎確認サーバであって、前記被送迎者端末から送信された被送迎者が属する施設情報を含む受付情報を、前記ネットワークを介して受信し、所定の被送迎者ＤＢに格納する被送迎者情報格納手段と、前記被送迎者ＤＢに格納され得る被送迎者が属する施設及びその位置情報を所定の施設ＤＢに格納する施設情報格納手段と、前記送迎実施者端末から送信された送迎実施者の位置情報を含む受付情報を、前記ネットワークを介して受信し、所定の送迎実施者ＤＢに格納する送迎実施者情報格納手段と、前記送迎実施者ＤＢに格納されている送迎実施者端末の場所から一定範囲に位置する施設を前記施設ＤＢから抽出する施設抽出手段と、前記抽出された施設に属する被送迎者を前記被送迎者ＤＢから抽出する被送迎者抽出手段と、を備える構成としてある。
【００１０】
また、本発明の送迎管理方法は、所定のネットワークを介して接続された、送迎を利用する被送迎者が保有する被送迎者端末と、前記被送迎者の送迎を実施する送迎実施者が保有する送迎実施者端末と、所定の送迎確認サーバとによる送迎管理方法であって、前記被送迎者端末が、入力操作に応じ、前記被送迎者が属する施設情報を含む所定の受付情報を前記送迎確認サーバに送信するステップを有し、前記送迎実施者端末が、入力操作に応じ、前記送迎実施者の位置情報を含む所定の受付情報を前記送迎確認サーバに送信するステップを有し、前記送迎確認サーバが、前記被送迎者端末から前記ネットワークを介して受信した受付情報を被送迎者ＤＢとして格納するステップと、前記被送迎者ＤＢに格納され得る被送迎者が属する施設及びその位置情報を施設ＤＢとして格納するステップと、前記送迎実施者端末から前記ネットワークを介して受信した受付情報を送迎実施者ＤＢとして格納するステップと、前記送迎実施者ＤＢに格納されている送迎実施者端末の場所から一定範囲に位置する施設を前記施設ＤＢから抽出するステップと、前記抽出された施設に属する被送迎者を前記被送迎者ＤＢから抽出するステップと、を有する方法としてある。
【００１１】
さらに、本発明の送迎管理プログラムは、所定のネットワークを介して、送迎を利用する被送迎者が保有する被送迎者端末と、前記被送迎者の送迎を実施する送迎実施者が保有する送迎実施者端末と、所定の送迎確認サーバとが接続された送迎管理システムとして機能させるための送迎管理プログラムであって、前記被送迎者端末を構成するコンピュータを、入力操作に応じ、前記被送迎者が属する施設情報を含む所定の受付情報を前記送迎確認サーバに送信する被送迎者情報送信手段、として機能させるとともに、前記送迎実施者端末を構成するコンピュータを、入力操作に応じ、前記送迎実施者の位置情報を含む所定の受付情報を前記送迎確認サーバに送信する送迎者情報送信手段、として機能させ、前記送迎確認サーバを構成するコンピュータを、前記被送迎者端末から前記ネットワークを介して受信した受付情報を所定の被送迎者ＤＢに格納する児童情報格納手段、前記被送迎者ＤＢに格納され得る被送迎者が属する施設及びその位置情報を所定の施設ＤＢに格納する施設情報格納手段、前記送迎実施者端末から前記ネットワークを介して受信した受付情報を所定の送迎実施者ＤＢに格納する送迎実施者情報格納手段、前記送迎実施者ＤＢに格納されている送迎実施者端末の場所から一定範囲に位置する施設を前記施設ＤＢから抽出する施設抽出手段、前記抽出された施設に属する被送迎者を前記被送迎者ＤＢから抽出する被送迎者抽出手段、として機能させるためのプログラムとしてある。
【発明の効果】
【００１２】
本発明の送迎管理システムによれば、送迎サービスを効果的かつ円滑に実行できるとともに、送迎を受ける者の安全を的確かつ効率よく管理することが可能となる。
【発明を実施するための最良の形態】
【００１３】
以下、本発明の好ましい実施形態について図１〜図１７を参照して説明する。
ここで、以下に示す本実施形態の送迎管理システムは、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態の送迎管理システムにおける各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００１４】
図１は、本発明の一実施形態に係る送迎管理システムの全体を示す構成図であり、図１７は、当該送迎管理システムの機能構成を示したブロック図である。
図１に示すとおり、本実施形態の送迎管理システムは、児童端末１０、保護者端末２０、警備会社端末３０、送迎確認サーバ４０及び学校端末５０が各々ネットワーク１００を介して接続されている。
また、図１７に示すとおり、各構成部は、処理装置４０１を中心に入出力が行われ、所定の場合には各ＤＢにデータが格納され、また、所定の場合には各端末に各種通知が行われる仕組みとなっている。
【００１５】
児童端末１０は、送迎予定時間等の各種通知の送受信を行う児童（被送迎者）が使用するパソコン、携帯通信端末等の情報処理装置であり、本発明の被送迎者端末に相当する。
また、児童の名札等に付されているＩＣタグを帰宅時にＩＣリーダに通すことにより、送迎の受付を行うとともに、所定の児童情報を送迎確認サーバ４０に送信する被送迎者受付情報送信手段を備えている。
この受付を行うことにより、児童端末１０は、図１７Ｃに示すように、送迎確認サーバ４０より所定の「送迎受付」（図１３参照）を受信する。
【００１６】
なお、本実施形態においては、該当する送迎実施者が存在せず、警備会社端末３０が見つからなかったときには、図１７Ａに示すように、児童端末１０は、所定の「送迎車両未確認通知」（図８参照）を受信することとしており、一方、送迎実施者が存在し、係る警備会社端末３０が見つかったときには、図１７Ｂに示すように、児童端末１０は、所定の「送迎時間のお知らせ」（図１４参照）を送迎確認サーバ４０より受信する。
さらに、自宅到着時には再びＩＣタグを読み取ることによって、自宅到着時刻を自動的に算出し（本発明の送迎終了時刻算出手段）、送迎確認サーバ４０に対しそのデータを送信する機能（送迎終了時刻送信手段）も有する。
【００１７】
保護者端末２０は、各種通知の送受信を行うユーザ（児童の保護者）が使用する複数のパソコン、携帯通信端末などの情報処理装置である。
保護者端末２０は、児童（児童端末１０）の送迎時間が決定したときには、図１７Ｂに示すように、インターネット等のネットワーク１００を介して送迎確認サーバ４０より、「送迎時間のお知らせ」（図１４参照）を受信し、また、自宅到着時には、図１７Ｄに示すように、所定の「自宅到着時間のお知らせ」（図１６参照）を受信する。
【００１８】
警備会社端末３０は、ユーザ（送迎実施者）が使用するＧＰＳ機能を搭載した携帯通信端末、パソコンなどの情報処理装置であり、本発明の送迎実施者端末に相当する。
送迎に用いる乗車車両が決定した場合、警備会社端末３０は、ネットワーク１００を介して送迎確認サーバ４０に所定の車両情報を送信するだけでなく、児童を送迎できる状態になったときには、「受付中」を示す信号を送迎確認サーバ４０へ送信する（本発明の送迎実施者受付情報送信手段）。
この受付を行うことにより、警備会社端末３０は、図１７Ｃに示すように、「送迎受付」（図９参照）を受信する。
そして、送迎対象の児童（児童端末１０）が存在した場合には、図１７Ｅに示すように、所定の「送迎者名簿送付」（図１０参照）を受信し、予め定めた締切日時になっても送迎対象の児童（児童端末１０）が見つからない場合には、図１７Ｆに示すように、所定の「送迎車なし通知」（図１２参照）を受信する。
【００１９】
図２に示すとおり、送迎確認サーバ４０は、処理装置４０１、学校情報ＤＢ４０２、車両情報ＤＢ４０３、車両人数受付情報ＤＢ４０４、児童個人情報ＤＢ４０５及び地図情報ＤＢ４０６によって構成されている。
なお、一般に、学校情報ＤＢ４０２は施設ＤＢと、車両情報ＤＢ４０３は送迎実施者ＤＢと、児童個人情報ＤＢ４０５は被送迎者ＤＢと称される。
【００２０】
処理装置４０１は、サーバ等の情報処理装置であり、各種データベース（ＤＢ）の格納やデータの引き出し、各種端末への通知等の制御を行っている。
処理装置４０１は、ネットワーク１００を介して学校端末５０から所定の学校情報を受信し、図５に示す学校情報ＤＢ４０２に格納する施設情報格納手段を備えている。
また、同様に、警備会社端末３０から所定の車両情報、即ち、送迎実施者に関する情報を受信し、図６に示す車両情報ＤＢ４０３に格納する送迎実施者情報格納手段を備えている。
【００２１】
処理装置４０１は、警備会社端末３０から「受付中」の信号を受信すると、“車両ＮＯ”を引用して車両情報ＤＢ４０３を検索し、一致するレコードの“受付状況”欄を「否」から「可」に変更し、この際、「締切日時」欄及び「送迎受付範囲」欄のデータも自動計算し格納する。その後、処理装置４０１は、図１７Ｃに示すように、警備会社端末３０に「送迎受付」（図９参照）を通知することとしており、本発明の受付通知手段を構成している。
また、処理装置４０１は、児童帰宅時のＩＣタグの読み取り等によりその児童に関するデータを児童端末１０から受信し、児童個人情報ＤＢ４０５（図４）の“現在送迎状況”欄を「否」に設定し、その後、図１７Ｃに示すように、児童端末１０に「送迎受付」（図１３参照）を通知する機能を有する（本発明の受付通知手段）。
【００２２】
なお、ＩＣタグに予め格納されている情報は、図４に示すように、「児童ＮＯ」、「名前」、「自宅住所」、「年齢」、「送迎小学校」、「メールアドレス」、「保護者メールアドレス」、「緊急連絡先」等のデータであり、処理装置４０１との間のデータ送受により図１１に示す児童個人情報ＤＢ４０５に格納されることとなる（本発明の被送迎者情報格納手段）。
処理装置４０１は、予め設定した一定時間毎、又は、児童個人情報ＤＢ４０５に所定情報が格納されたか、もしくは、車両情報ＤＢ４０３の“受付状況”欄が「否」から「可」に変更された場合、学校情報ＤＢ４０２を検索し、車両情報ＤＢ４０３の“送迎学校受付範囲”に存在する小学校を抽出する（本発明の施設抽出手段）。
【００２３】
ここで、抽出された前記小学校に属する児童が存在するか否かを、“締切日時”になるまで児童個人情報ＤＢ４０５をサーチする（本発明の被送迎者抽出手段）。
そして、このサーチの結果、前述のサーチ条件に該当する児童が抽出された場合、車両人数受付情報ＤＢ４０４に一児童ごとに行を追加し、送迎児童の“現在人数”を計算しながらデータを格納しつつ、児童個人情報ＤＢ４０５の対象児童端末１０の“現在送迎状態”欄を「否」から「可」に書き換えを行う。
【００２４】
送迎車両の“定員人数”を確認し、定員を満たした場合、又は、“締切日時”を過ぎた場合、車両情報ＤＢ４０３の対象となるレコードの“受付状況”欄を「可」から「否」へ書き換えを行い、以降の受付を制限するようにしている。
さらに、処理装置４０１は、警備会社端末３０に備えられるＧＰＳ機能と地図情報ＤＢ４０６の連携により所定区間における距離及び渋滞情報を確認することができる。これにより、“送迎小学校”までの到着時間を自動計算し、車両人数受付情報ＤＢ４０４の“到着時間”欄に格納するようにしている（本発明の到着時刻算出手段）。
なお、地図情報ＤＢ４０６は、図１５に示すように、所定の地図情報（イメージ図、渋滞情報等の諸データ）が予め格納されているものとする。
【００２５】
上記“到着時間”へのデータ格納後、処理装置４０１は、車両情報ＤＢ４０３、車両人数受付情報ＤＢ４０４、児童個人情報ＤＢ４０５に格納されてある各データを引用し、各端末に対し所定の通知を行う。
具体的には、図１７Ｅに示すように「送迎者名簿送付」（図１０参照）が警備会社端末３０に送られる（本発明の被送迎者名簿通知手段）一方、図１７Ｂに示すように「送迎時間のお知らせ」（図１４参照）が児童端末１０、保護者端末２０及び学校端末５０に送られる（本発明の到着時刻通知手段）。
【００２６】
また、処理装置４０１は、乗車時に児童のＩＣタグを読み取ることにより所定のデータを児童端末１０から受信し、児童個人情報ＤＢ４０５の“乗車時間”欄に乗車時刻を格納することとしている。
他方、降車時にＩＣタグを読み取ることに応じて児童端末１０から送られてくる自宅到着時間を受け、児童個人情報ＤＢ４０５の“自宅到着時間”欄に格納することとしている。
そして、図１７Ｄに示すように、児童個人情報ＤＢ４０５に格納された“自宅到着時間”を引用して「自宅到着時間のお知らせ」（図１６参照）を自動作成し、対象となる保護者端末２０及び学校端末５０に通知することとしている（本発明の送迎終了通知手段）。
【００２７】
前述のサーチの結果、サーチ条件に該当する送迎車両が車両情報ＤＢ４０３から見つからなかった場合には、図１７Ａに示すように、処理装置４０１は、「送迎車両未確認通知」（図８参照）を自動作成し、児童端末１０に通知する（本発明の送迎実施者不存在通知手段）。
これを受けた児童端末１０は、所定の回答を処理装置４０１に返信することとなるが、その内容が「送迎を希望しない」のであれば児童個人情報ＤＢ４０５の“現在送迎状況”欄を「不要」とし、逆にその内容が「数分後に再度確認をする」のであれば、“再サーチ時間”に基づき再度サーチを行う。
そして、“締切日時”になっても、上記サーチ条件に一致する児童又は送迎車両が見つからなかった場合は、車両情報ＤＢ４０３の“受付状況”欄を「可」から「否」に書き換えをし、“送迎学校受付範囲”の内容をブランクにするとともに、図１７Ｆに示すように、「送迎者なし通知」（図１２参照）を自動作成し、警備会社端末３０へ通知することとしている（本発明の被送迎者不存在通知手段）。
【００２８】
学校端末５０は、入力操作に応じて、所定の学校情報を、ネットワーク１００を介して送迎確認サーバ４０に送信するものである。
学校端末５０は、ユーザ（担任等の学校関係者）が使用するパソコンなどの情報処理装置であり、本発明の施設端末に相当する。
また、送迎する児童（児童端末１０）が存在した場合には、図１７Ｂに示すように、「送迎時間のお知らせ」（図１４参照）を送迎確認サーバ４０から受信し、また、図１７Ｄに示すように、児童（児童端末１０）の自宅到着時の入力操作に応じて「自宅到着時間のお知らせ」（図１６参照）を受信する。
【００２９】
次に、以上のような構成からなる本実施形態の送迎管理システムにおける動作手順について図３を参照しつつ説明する。
図３は、本実施形態に係る送迎管理システムにおける動作手順を示したフローチャートである。
なお、児童端末１０を保有する児童の名札にはＩＣタグが付されており、そのＩＣタグには図４に示すような児童個人情報（児童名、住所、学校名、メールアドレス等）が格納されているものとする。
【００３０】
図３Ａに示すように、まず、警備会社端末３０は、送迎車両が有る場合に限り（３０−１：ＹＥＳ）、インターネット等のネットワーク１００を介して送迎車両の情報を送迎確認サーバ４０に送信する（３０−２）。なお、送迎車両がなければ（３０−１：ＮＯ）、当然に送迎は行われない。
送迎確認サーバ４０の処理装置４０１は、車両情報を受信する（４０−１）とその“車両ＮＯ”を自動採番し（４０−２）、“車両ＮＯ”欄に格納するとともに係る車両情報を車両情報ＤＢ４０３（図６）に格納する（４０−３）。
次に、送迎確認サーバ４０の処理装置４０１は、「送迎受付」（図９参照）を自動作成し（４０−４）、警備会社端末３０のメールアドレス（例えば、SH01@JP）に送信するか、係る送迎受付情報がＷＥＢに掲載されたことを通知する（４０−５）。
そして、警備会社端末３０は、「送迎受付」を受信し、受付が無事終了したことを認識することができる（３０−３）。
【００３１】
また、学校端末５０は、図３Ｂに示すように、登録する新たな学校の情報があれば（５０−１：ＹＥＳ）、ネットワーク１００を介してその学校情報を送迎確認サーバ４０に送信する（５０−２）。なお、登録すべき新たな学校情報がなければ（５０−１：ＮＯ）、係る登録処理は行われない。
送迎確認サーバ４０の処理装置４０１は、学校情報を受信すると（４０−６）、“学校番号”を自動採番し（４０−７）、“学校番号”欄に格納するとともに係る学校情報を学校情報ＤＢ４０２（図５参照）に格納する（４０−８）。
【００３２】
ここで、警備会社端末３０は、図３Ｃに示すように、送迎実施者である警備員が巡回中もしくは事務所に戻る途中などで空き時間ができ、児童を送迎できる時間ができたとき（３０−４）に、その警備員が所定操作を行うことにより「受付中」信号を送迎確認サーバ４０へ送信する（３０−５）。
送迎確認サーバ４０の処理装置４０１は、警備会社端末３０からの「受付中」信号を受信すると（４０−９）、信号に含まれる“車両ＮＯ（例えば、SH01）”を識別し、車両情報ＤＢ４０３（図６）の“車両ＮＯ”と比較する（４０−１０）。
具体的には、車両ＮＯの一致・不一致を判定する（４０−１１）。
【００３３】
ステップ４０−１１により、車両ＮＯが一致した場合（４０−１１：ＹＥＳ）、一致したレコードの“受付状況”欄を「否」から「可」に変更する（４０−１２）。
なお、車両ＮＯが不一致の場合（４０−１１：ＮＯ）、処理は終了する。
そして、「受付中」信号の受信時間を基準とした所定の“締切時間”を自動算出し、“締切日時”欄に格納する（４０−１３）。なお、“締切時間”は、任意の時間を設定することが可能であるが、例えば、受付時間から３０分後を締切時間として設定すればよい。
【００３４】
また、警備会社端末３０からの「受付中」信号に含まれる位置情報に基づき、警備会社端末３０の現在位置から一定範囲内にある住所データを車両情報ＤＢ４０３の“送迎学校受付範囲”欄に格納する（４０−１４）。例えば、警備会社端末３０の現在位置から半径１０ｋｍ以内を“送迎学校受付範囲”とすることができるが、係る範囲は任意に設定することができる。
なお、警備会社端末３０の現在位置は、図１５に示すように、地図情報ＤＢ４０６に地図イメージ画像形式で格納されており、送迎確認サーバ４０のＧＰＳ管理機能によって常に監視されているものとする。
次に、送迎確認サーバ４０の処理装置４０１は、「送迎受付」（図９参照）を自動作成し（４０−１５）、警備会社端末３０のメールアドレス（例えば、SH01@JP）に送信するか、係る送迎受付情報がＷＥＢに掲載されたことを通知する（４０−１６）。
そして、警備会社端末３０は、係る「送迎受付」を受信し、受付が無事終了したことを認識することができる（３０−６）。
【００３５】
図３Ｄに示すように、児童端末１０（例えば、00IJ：なつこ）は、帰宅の際（１０−１）、名札に付いているＩＣタグを、学校に設置してあるＩＣリーダによって読み込み、格納されている児童情報を送迎確認サーバ４０に送信する（１０−２）。
これを受け、送迎確認サーバ４０の処理装置４０１は、児童端末１０からの児童情報を受信する（４０−１７）。
この時、処理装置４０１は、“受付ＮＯ”を自動採番して（４０−１８）児童個人情報ＤＢ４０５（図１１）の“受付ＮＯ”欄に格納するとともに、“現在送迎状況”欄を「否」として格納する（４０−１９）。
【００３６】
次に、処理装置４０１は、「送迎受付」（図１３参照）を自動作成し（４０−２０）、児童端末１０のメールアドレス（例えば、NATUKO@JP）に送信するか、係る送迎受付情報がＷＥＢに掲載されたことを通知する（４０−２１）。
これにより、児童端末１０は係る「送迎受付」を受信し、児童は、受付が無事終了したことを認識することができる（１０−３）。
【００３７】
次に、処理装置４０１は、車両情報ＤＢ４０３、学校情報ＤＢ４０２及び児童個人情報ＤＢ４０５を読み込み（４０−２２，２３，２４）、“締切日時”になるまで（４０−２５：ＮＯ）、以下の処理をおこなう。
まず、児童端末１０が、児童個人情報ＤＢ４０５に新規格納されたか、または、車両情報ＤＢ４０３の“受付状況”欄が「否」から「可」に変更されたかを判定する（４０−２６）。
そして、児童個人情報ＤＢ４０５にデータが新規格納されたか、車両情報ＤＢ４０３の“受付状況”欄が「否」から「可」に変更された場合（４０−２６：ＹＥＳ）、車両情報ＤＢ４０３の“受付状況”が「可」であり、“送迎学校受付範囲”にある小学校を、学校情報ＤＢ４０２の“住所”欄より検索し、その小学校が、児童個人情報ＤＢ４０５の“送迎小学校”に存在するか否かをサーチする（４０−２７）。
【００３８】
ステップ４０−２７のサーチにおいて、サーチ条件に一致した場合（４０−２７：ＹＥＳ）をパターン１とし、ステップ４０−２８（図３Ｅ）にすすむ。
一方、ステップ４０−２７のサーチにおいて、サーチ条件に一致しなかった場合（４０−２７：ＮＯ）をパターン２としてステップ４０−５５（図３Ｋ）にすすみ、“締切日時”を経過した場合（４０−２５：ＹＥＳ）をパターン３としてステップ４０−２７（図３Ｅ）にすすむ。
なお、ステップ４０−２６において、児童個人情報ＤＢ４０５にデータが新規格納されていないか、車両情報ＤＢ４０３の“受付状況”欄が「否」から「可」に変更されていない場合（４０−２６：ＮＯ）、処理は終了する。
【００３９】
＜パターン１：サーチ条件に一致した場合＞
ステップ４０−２０のサーチにおいて、サーチ条件に一致した場合、送迎確認サーバ４０の処理装置４０１は、図３Ｅに示すように、警備会社端末３０を保有する送迎実施者の“車両ＮＯ”（例えば、SH01）、対象となる“送迎小学校”（例えば、美浜小学校）、“受付ＮＯ”（例えば、１，２，３）、“児童ＮＯ”（例えば、001J、002J、003J）を抽出する（４０−２８）。
次に、処理装置４０１は、車両人数受付ＤＢ４０４（図７）に“現在人数”をカウントしながら（具体的には、抽出した“車両ＮＯ”ごとに“児童ＮＯ”のレコードを追加していき、自動的に人数をカウントする。）（４０−２９）、車両情報ＤＢ４０３（図６）に格納されている“定員人数”を確認する（４０−３０）。
そして、その“定員人数”になるまで（４０−３１：ＮＯ）、車両人数受付ＤＢ４０４に、“車両ＮＯ”及び“児童ＮＯ”ごとの行を追加し（４０−３２）、係る“受付ＮＯ”、“送迎小学校”及び“現在人数”とともに格納する（４０−３３）。
【００４０】
このとき、処理装置４０１は、児童個人情報ＤＢ４０５（図１１）の対象となる複数の児童端末１０（例えば、001J：なつこ、002J：ひろし、003J：まさみ）のレコードの“現在送迎状態”を「否」から「可」に書き換えをし、抽出した警備会社端末３０の“車両番号”を“車両ＮＯ”欄に格納する（４０−３４）。
そして、前記“定員人数”になった時点（４０−３１：ＹＥＳ）で、車両情報ＤＢ４０３（図６）の対象となる警備会社端末３０の“受付状況”を「可」から「否」へ書き換えを行う（４０−３５）。
なお、処理装置４０１は、車両情報ＤＢ４０３の“定員人数”を満たさなくても、“締切日時”になった時点でも車両情報ＤＢ４０３の“受付状況”を「可」から「否」へ書き換えを行う（４０−３５）。
【００４１】
送迎児童が有る場合（４０−３６：ＹＥＳ）、次に、処理装置４０１は、車両情報ＤＢ４０３の“受付状況”が「否」になった時点で、ＧＰＳにて位置監視している警備会社端末３０の“現在位置”から地図情報ＤＢ４０６にて距離及び渋滞情報を確認する（４０−３７）。
なお、送迎児童がいない場合（４０−３６：ＮＯ）、図３Ｌに示すステップ４０−６７にすすむ。
【００４２】
ステップ４０−３７につづき、送迎確認サーバ４０の処理装置４０１は、図３Ｆに示すように、学校情報ＤＢ４０２の“住所”を読み込み（４０−３８）、“送迎小学校”までの“到着時間”を自動計算する（４０−３９）。
その後、計算で得た到着時間を車両人数受付ＤＢ４０４の“車両ＮＯ”又は“児童ＮＯ”に対応する行の“到着時間”欄に格納する（４０−４０）。
更に、処理装置４０１は、車両情報ＤＢ４０３、車両人数受付ＤＢ４０４及び児童個人情報ＤＢ４０５を読み込み（４０−４１，４２，４３）、「送迎者名簿送付」（図１０参照）及び「送迎時間のお知らせ」（図１４参照）を自動作成する（４０−４４）。
そして、「送迎者名簿送付」は警備会社端末３０のメールアドレス（例えば、SH01@JP）に送信するか、係る送迎者名簿情報がＷＥＢに掲載されたことを通知する（４０−４５）。
【００４３】
また、「送迎時間のお知らせ」は、図３Ｇに示すように、送迎確認サーバ４０から複数の児童端末１０のメールアドレスに送信するか、係る送迎時間の情報がＷＥＢに掲載されたことを通知する（４０−４６）。
これと同時に、その児童（児童端末１０）の保護者（保護者端末２０）のメールアドレスを児童個人情報ＤＢ４０５より抽出し（４０−４７）、さらに、その児童が属する小学校の学校端末５０のメールアドレスを学校情報ＤＢ４０２より抽出し（４０−４８）、前記「送迎時間のお知らせ」をこれらメールアドレス宛送信するか、係る送迎時間の情報がＷＥＢに掲載されたことを通知する（４０−４９）。
【００４４】
一方、警備会社端末３０が「送迎者名簿送付」を受信する（図３Ｆ：３０−７）と、図３Ｈに示すように、送迎実施者は、“所在地”及び“到着時間”、を認識した上で、“担当小学校”の正門等に対象となる児童（児童端末１０を保有する児童）を送迎のために迎えに行く（３０−８）。
また、複数の児童端末１０は、「送迎時間のお知らせ」を受信する（図３Ｇ：１０−４）と、係る児童は、所定の“到着予定時間”までに学校の正門等に待機し、所定の登録“ナンバー”の送迎車両に乗車する（１０−５）。
他方、学校端末５０及び保護者端末２０が「送迎時間のお知らせ」を受信する（図３Ｇ：５０−３、２０−１）ことにより、係る学校関係者や保護者は、各児童の乗車予定時間を把握し、学校側の対応としては、送迎車両到着時間までに学校の正門前に対象となる児童を待機させることができるようになる。
【００４５】
小学校正門前に待ち合わせた児童端末１０は、該当する警備会社端末３０の車両に乗車し（１０−５）、乗車時に車内に設置されてあるＩＣリーダを使ったＩＣタグの読み込みに応じて、所定の信号を送迎確認サーバ４０に送信する（１０−６）。
これを受け、送迎確認サーバ４０の処理装置４０１は、児童個人情報ＤＢ４０５の対象となるレコード（“児童ＮＯ”、“車両ＮＯ”）の“乗車時間”欄に係る信号の受信時刻を格納する（４０−５０）。
【００４６】
また、児童端末１０は、自宅に到着し（１０−７）、無事送迎が終わった（３０−９）時点におけるＩＣタグの読み込みに応じて、その時刻を自動的に算出し、時刻を示すデータを送迎確認サーバ４０に送信する（１０−８）。
これを受け、送迎確認サーバ４０の処理装置４０１は、乗車時に格納したレコードに対応する“自宅到着時間”欄に係る時刻データを格納する（４０−５１）。
“自宅到着時間”の格納と同時に、処理装置４０１は、児童個人情報ＤＢ４０５の読み込みを行い（４０−５２）、「自宅到着時間のお知らせ」を自動作成する（４０−５３）。
【００４７】
図３Ｊに示すように、送迎確認サーバ４０の処理装置４０１は、作成した「自宅到着時間のお知らせ」を、複数の保護者端末２０と学校端末５０のメールアドレスに送信するか、係る自宅到着時間の情報がＷＥＢに掲載されたことを通知する（４０−５４）。
これにより、複数の保護者端末２０と学校端末５０は、図３Ｊに示すように、「自宅到着時間のお知らせ」を受信し（２０−２，５０−４）、児童（児童端末１０）が帰宅した時間を把握することができ、安心することができる。
【００４８】
＜パターン２：サーチ条件に一致しなかった場合＞
ステップ４０−２７のサーチにおいて、サーチ条件に一致しなかった場合、送迎確認サーバ４０の処理装置４０１は、図３Ｋに示すように、児童個人情報ＤＢ４０５に新規追加格納された児童端末１０用に「送迎車両未確認通知」（図８参照）を自動作成し（４０−５５）、児童端末１０のメールアドレスに送信するか、係る送迎車両未確認通知の情報をＷＥＢに掲載したことを通知する（４０−５６）。
そして、児童端末１０は、「送迎車両未確認通知」を受信し（１０−９）、その回答欄に回答を入力し、送迎確認サーバ４０へ返信する（１０−１０）。
次に、送迎確認サーバ４０の処理装置４０１は、児童端末１０からの返信を受信し（４０−５７）、その回答欄の内容に応じて以下の動作を行う。
【００４９】
返信されてきた回答欄の内容が「再度確認」を要求せず、「送迎しない」旨で有る場合（４０−５８：ＮＯ）、送迎確認サーバ４０の処理装置４０１は、児童端末１０は送迎が不要と判断し、児童個人情報ＤＢ４０５の“現在送迎状況”欄に「不要」と格納し処理は終了する（４０−６６）。
他方、返信されてきた回答欄の内容が「再度確認」を要求するものである場合（４０−５８：ＹＥＳ）、送迎確認サーバ４０の処理装置４０１は、返信受信時間と回答欄に記載の再度確認時間に基づき、繰り返しサーチする時間を自動計算し（４０−５９）、児童個人情報ＤＢ４０５の“再サーチ時間”欄に格納する（４０−６０）。
【００５０】
そして、“再サーチ時間”欄の時間になったら（４０−６１）、処理装置４０１は再び児童個人情報ＤＢ４０５を読み込み（４０−６２）、児童端末１０が属する“送迎小学校”を抽出する（４０−６３）。
次に、処理装置４０１は、学校情報ＤＢ４０２を読み込み（４０−６４）、前記“送迎小学校”欄に格納された小学校の“住所”を抽出する（４０−６５）。
【００５１】
また、ここでは、処理装置４０１は、車両情報ＤＢ４０３を“受付状況”欄が「可」で“送迎学校受付範囲”に抽出した小学校の“住所”が範囲に入る警備会社端末３０が車両情報ＤＢ４０３に存在するか否かを判定する（図３Ｄ：４０−２７）。
ここで、警備会社端末３０が存在した場合、前述のパターン１の動作を行い、一方、警備会社端末３０が存在しなかった場合、パターン２の動作を行う。
【００５２】
＜パターン３：“締切日時”を経過した場合＞
処理装置４０１は、車両情報ＤＢ４０３の“締切日時”が過ぎた時点で”受付状況”を「可」から「否」に書き換えを行い（図３Ｅ：４０−３５）、さらに送迎児童が存在しない場合（４０−３６：ＮＯ）、図３Ｌに示すように、“送迎学校受付範囲”はブランクに書き換える（４０−６７）。なお、送迎児童が存在する場合はステップ４０−３７（図３Ｅ）にすすむ。
また、車両情報ＤＢ４０３を読み込み（４０−６８）、「送迎者なし通知」（図１２参照）を自動作成する（４０−６９）。
【００５３】
そして、処理装置４０１は、作成した「送迎者なし通知」を警備会社端末３０のメールアドレスに送信するか、係る送迎者なし情報をＷＥＢに掲載したことを通知する（４０−７０）。
警備会社端末３０は、「送迎者なし通知」を受信することにより（３０−１０）、再び空き時間ができ、児童を送迎できる状況となった場合に、入力操作に応じて「受付中」の信号を送迎確認サーバ４０に送信し、送迎の実施を受け付けることができるようになる。
【００５４】
以上説明したように、本実施形態の送迎管理システムによれば、児童が保有する児童端末１０と、送迎実施者たる警備員が保有する警備会社端末３０と、送迎確認サーバ４０とがネットワーク１００を介して接続された構成としてある。
そして、送迎確認サーバ４０の処理装置４０１が、送迎を希望する児童を登録するとともに、送迎の実施を行う送迎実施者を登録し、さらに、児童が属する学校の情報や送迎実施者の位置情報を把握することによって、合理的に、送迎実施者を手配するようにしている。
【００５５】
このため、送迎実施者に相当する警備員は、空き時間ができた時に、その警備員が現在いる場所から近い位置に存在する学校の児童を送迎することができるようになる一方、送迎を受ける児童は、自分が帰宅したいときに都合の良い送迎実施者を手配できるようになる。
したがって、被送迎者と送迎実施者のマッチングが十分に考慮され、また、児童、保護者、学校側にとって利便性に優れた、付加価値の高い送迎システムを実現し提供することが可能である。
【００５６】
また、本実施形態の送迎管理システムによれば、送迎の状況に応じて、児童又は送迎実施者の受付情報（送迎受付）、被送迎者の情報通知（送迎者名簿）、送迎アンマッチ情報の通知（送迎車両未確認通知、送迎者なし通知）、送迎開始情報の通知（送迎時間のお知らせ）、送迎終了時の通知（自宅到着時のお知らせ）等の各状況・情報を各端末に送信することができる。
これにより、児童、送迎実施者のみならず、児童の保護者や学校関係者は、送迎の過程や状況をリアルタイムに把握することができる。
このため、送迎準備を円滑に行い、また、送迎のプロセスを適宜、確認することができるようになり、安全性、信頼性及び利便性の高い送迎管理システムを実現することができる。
【００５７】
さらに、本実施形態の送迎管理システムは、送迎実施者を警備会社に属する警備員としている。
このため、より安全な送迎を可能としており、安心して送迎サービスを利用することができる。
また、本来、送迎を外部に委託できることによる誘拐や交通事故の心配がなくなり、保護者や学校側も時間を有効活用することができるようになる。
【００５８】
以上、本発明の送迎管理システムについて、好ましい実施形態を示して説明したが、本発明にかかる送迎管理システムは、上述した実施形態にのみ限定されるものではなく、本発明の範囲で種々の変更実施が可能であることは言うまでもない。
例えば、本発明の送迎管理システムは、学校（小学校）から自宅までの下校に限らず、歩行困難な老人や障害者の送迎等を対象とした送迎管理システムであってもよい。
また、送迎実施者は、警備会社に属する警備員としているが、特に、これに限定されず、送迎サービスを提供する業者等であっても良い。
【産業上の利用可能性】
【００５９】
本発明は、位置管理機能を備えた携帯通信システムを用いた児童の送迎管理に好適に利用することができる。
【図面の簡単な説明】
【００６０】
【図１】本発明の一実施形態に係る送迎管理システムの全体の構成図である。
【図２】本実施形態に係る送迎確認サーバの構成図である。
【図３Ａ】本実施形態に係る送迎管理システムの動作手順を示すフローチャートである。
【図３Ｂ】本実施形態に係る送迎管理システムの動作手順を示すフローチャートである。
【図３Ｃ】本実施形態に係る送迎管理システムの動作手順を示すフローチャートである。
【図３Ｄ】本実施形態に係る送迎管理システムの動作手順を示すフローチャートである。
【図３Ｅ】本実施形態に係る送迎管理システムの動作手順を示すフローチャートである。
【図３Ｆ】本実施形態に係る送迎管理システムの動作手順を示すフローチャートである。
【図３Ｇ】本実施形態に係る送迎管理システムの動作手順を示すフローチャートである。
【図３Ｈ】本実施形態に係る送迎管理システムの動作手順を示すフローチャートである。
【図３Ｊ】本実施形態に係る送迎管理システムの動作手順を示すフローチャートである。
【図３Ｋ】本実施形態に係る送迎管理システムの動作手順を示すフローチャートである。
【図３Ｌ】本実施形態に係る送迎管理システムの動作手順を示すフローチャートである。
【図４】本実施形態に係る送迎管理システムにおいて児童が保有するＩＣタグ等に格納される児童個人情報の一例を示した説明図である。
【図５】本実施形態に係る送迎確認サーバにおいて格納される学校情報ＤＢの一例を示した説明図である。
【図６】本実施形態に係る送迎確認サーバにおいて格納される車両情報ＤＢの一例を示した説明図である。
【図７】本実施形態に係る送迎確認サーバにおいて格納される車両人数受付ＤＢの一例を示した説明図である。
【図８】本実施形態に係る送迎管理システムにおいて通知される送迎車両未確認通知の一例を示した説明図である。
【図９】本実施形態に係る送迎管理システムにおいて通知される送迎受付（警備会社端末向け）の一例を示した説明図である。
【図１０】本実施形態に係る送迎管理システムにおいて通知される送迎者名簿送付の一例を示した説明図である。
【図１１】本実施形態に係る送迎確認サーバにおいて格納される児童個人情報ＤＢの一例を示した説明図である。
【図１２】本実施形態に係る送迎管理システムにおいて通知される送迎者なし通知の一例を示した説明図である。
【図１３】本実施形態に係る送迎管理システムにおいて通知される送迎受付（児童端末向け）の一例を示した説明図である。
【図１４】本実施形態に係る送迎管理システムにおいて通知される送迎時間のお知らせの一例を示した説明図である。
【図１５】本実施形態に係る送迎確認サーバにおいて格納される地図情報ＤＢの一例を示した説明図である。
【図１６】本実施形態に係る送迎管理システムにおいて通知される自宅到着時間のお知らせの一例を示した説明図である。
【図１７Ａ】本実施形態に係る送迎管理システムの機能構成を示したブロック図である。
【図１７Ｂ】本実施形態に係る送迎管理システムの機能構成を示したブロック図である。
【図１７Ｃ】本実施形態に係る送迎管理システムの機能構成を示したブロック図である。
【図１７Ｄ】本実施形態に係る送迎管理システムの機能構成を示したブロック図である。
【図１７Ｅ】本実施形態に係る送迎管理システムの機能構成を示したブロック図である。
【図１７Ｆ】本実施形態に係る送迎管理システムの機能構成を示したブロック図である。
【符号の説明】
【００６１】
１０  児童端末
２０  保護者端末
３０  警備会社端末
４０  送迎確認サーバ
４０１  処理装置
４０２  学校情報ＤＢ
４０３  車両情報ＤＢ
４０４  車両人数受付ＤＢ
４０５  児童個人情報ＤＢ
４０６  地図情報ＤＢ
５０  学校端末
１００  ネットワーク
【図１】
2009048274.tif 000003
【図２】
2009048274.tif 000004
【図３Ａ】
2009048274.tif 000005
【図３Ｂ】
2009048274.tif 000006
【図３Ｃ】
2009048274.tif 000007
【図３Ｄ】
2009048274.tif 000008
【図３Ｅ】
2009048274.tif 000009
【図３Ｆ】
2009048274.tif 000010
【図３Ｇ】
2009048274.tif 000011
【図３Ｈ】
2009048274.tif 000012
【図３Ｊ】
2009048274.tif 000013
【図３Ｋ】
2009048274.tif 000014
【図３Ｌ】
2009048274.tif 000015
【図４】
2009048274.tif 000016
【図５】
2009048274.tif 000017
【図６】
2009048274.tif 000018
【図７】
2009048274.tif 000019
【図８】
2009048274.tif 000020
【図９】
2009048274.tif 000021
【図１０】
2009048274.tif 000022
【図１１】
2009048274.tif 000023
【図１２】
2009048274.tif 000024
【図１３】
2009048274.tif 000025
【図１４】
2009048274.tif 000026
【図１５】
2009048274.tif 000027
【図１６】
2009048274.tif 000028
【図１７Ａ】
2009048274.tif 000029
【図１７Ｂ】
2009048274.tif 000030
【図１７Ｃ】
2009048274.tif 000031
【図１７Ｄ】
2009048274.tif 000032
【図１７Ｅ】
2009048274.tif 000033
【図１７Ｆ】
2009048274.tif 000034